(57)【要約】【課題】画像形成装置の高画質なイメージ展開機能を利用したダイレクトＦＡＸを実現することが可能なＦＡＸ送信システム、ＦＡＸ送信方法、画像形成装置、及び原稿読み取り装置を提供する。【解決手段】画像データをＦＡＸ送信する通信装置と画像形成装置とを接続し、ＬＡＮなどを介して画像形成装置がファイルとＦＡＸ送信を指示する情報を受信すると、当該画像形成装置でファイルを解釈してＦＡＸ送信用の画像データを作成し、当該画像データを通信装置を介してＦＡＸ送信する。  【選択図】  図１
2007019837.tif 000002
【特許請求の範囲】
【請求項１】
情報処理装置と接続する通信手段と、
前記通信手段で受信したファイルを画像データに変換する印刷データ生成部と
を具備し、
前記通信手段で前記ファイルとＦＡＸ送信手段を受信すると、前記ファイルを画像データに変換し、該画像データと前記ＦＡＸ送信情報を原稿読み取り装置に送信する画像形成装置と、
通信装置の制御を行うことが可能な制御部を具備し、
前記画像データ及び前記ＦＡＸ送信情報を前記画像形成装置から受信すると、前記画像データを前記通信装置に送信し、前記ＦＡＸ送信情報に基づいて制御部で前記通信装置の制御を行う前記原稿読み取り装置と、
前記画像データをＦＡＸ送受信するＦＡＸ送受信手段を具備し、
前記原稿読み取り装置からの制御に従って前記ＦＡＸ送信手段で前記画像データをＦＡＸ送信する前記通信装置と
を備えたことを特徴とするＦＡＸ送信システム。
【請求項２】
情報処理装置と接続する通信手段と、
前記通信手段で受信したファイルを画像データに変換する印刷データ生成部と
を具備し、
前記通信手段で前記ファイルとＦＡＸ送信手段を受信すると、前記ファイルを画像データに変換し、該画像データと前記ＦＡＸ送信情報を通信装置に送信する画像形成装置と、  前記画像データをＦＡＸ送受信するＦＡＸ送受信手段と、
前記ＦＡＸ送受信手段を制御する制御部と
を具備し、
前記画像データ及び前記ＦＡＸ送信情報を前記画像形成装置から受信すると、前記ＦＡＸ送信情報に基づいて前記制御部で前記ＦＡＸ送受信手段の制御を行い、前記画像データをＦＡＸ送信する前記通信装置と
を備えたことを特徴とするＦＡＸ送信システム。
【請求項３】
画像形成装置は、
ファイル及びＦＡＸ送信情報を通信手段で受信し、
印刷データ生成手段で前記ファイルから画像データを生成し、
前記画像データ及び前記ＦＡＸ送信情報を原稿読み取り装置に送信し、
前記原稿読み取り装置は、
前記画像データを通信装置に送信し、
前記ＦＡＸ送信情報に基づいて制御手段で前記通信装置を制御し、
前記通信装置は、
前記原稿読み取り装置の制御に従って前記画像データをＦＡＸ送信する
ことを特徴とするＦＡＸ送信方法。
【請求項４】
画像形成装置は、
ファイル及びＦＡＸ送信情報を通信手段で受信し、
印刷データ生成手段で前記ファイルから画像データを生成し、
前記画像データ及び前記ＦＡＸ送信情報を通信装置に送信し、
前記通信装置は、
前記ＦＡＸ送信情報に基づいて制御手段でＦＡＸ送信のための制御を行い、前記画像データをＦＡＸ送信する
ことを特徴とするＦＡＸ送信方法。
【請求項５】
ファイルを画像データに変換する印刷データ生成部と、前記画像データに基づいて画像を印刷出力するプリンタエンジンとを具備する画像形成装置において、
情報処理装置と接続する第１の通信手段と、
ＦＡＸ送信時の網制御を行う通信装置若しくは通信装置が接続した原稿読み取り装置と接続する第２の通信手段と
をさらに具備し、
前記第１の通信手段でファイルとＦＡＸ送信情報を受信すると、前記ファイルを前記印刷データ変換部で画像データに変換し、該画像データ及びＦＡＸ送信情報を前記第２の通信手段から送信する
ことを特徴とする画像形成装置。
【請求項６】
原稿をスキャンして画像データを取得する原稿読み取り装置において、  
画像形成装置と接続する第１の通信手段と、
ＦＡＸ送信時の網制御を行う通信装置と接続する第２の通信手段と、
原稿読み取り装置の制御を行う制御部と
を具備し、
前記第１の通信手段で画像データ及びＦＡＸ送信情報を受信すると、前記画像データを前記第２の通信手段から送信し、
前記制御部でＦＡＸ送信のための前記通信装置の制御を行う
ことを特徴とする原稿読み取り装置。
【発明の詳細な説明】
【技術分野】
【０００１】
本発明は、ＦＡＸ送信システム、ＦＡＸ送信方法、画像形成装置、及び原稿読み取り装置に関し、特に、画像形成装置で受信した画像データをＦＡＸ送信するＦＡＸ送信システム、ＦＡＸ送信方法、画像形成装置、及び原稿読み取り装置に関する。
【背景技術】
【０００２】
スキャナなどの原稿読み取り装置１００とプリンタなどの画像形成装置１１０をＵＳＢ(Universal Serial Bus)などの通信インターフェイス(Ｉ／Ｆ)１２０でＰＣ(Personal Computer)などの情報処理装置１３０に接続したシステムがある（図７参照）。
【０００３】
そして、このようなシステムの中には、原稿読み取り装置１００で原稿を読み取って画像形成装置１１０から印刷出力するコピー機能や、原稿読み取り装置１００で原稿を読み取り、情報処理装置１３０のモデム１３１から電話回線網やインターネット網などの公衆回線網１４０を介してＦＡＸ送信するＦＡＸ送信機能、モデム１３１でＦＡＸ受信した情報を画像形成装置１１０で印刷出力するＦＡＸ受信機能を有するものがある。
【０００４】
また、原稿読み取り装置に情報処理装置と画像形成装置を接続し、これらの機能を実現するシステムも提案されている（例えば、特許文献１参照）。
【特許文献１】特開平９−２３８２０９号公報
【発明の開示】
【発明が解決しようとする課題】
【０００５】
しかし、このようなシステムでは、モデムを有し、個々の装置に指示を与えるホスト装置（ホストＰＣ）が必要となるため、システム全体のコストが高かった。
【０００６】
また、原稿読み取り装置と画像形成装置とをＵＳＢ(Universal Serial Bus)などの汎用インターフェイス(Ｉ／Ｆ)で疎結合したスキャナプリンタでは、画像データをＦＡＸ送受信する通信装置の制御機能を原稿読み取り装置に持たせることにより、ホストＰＣを設けることなく、原稿読み取り装置でＦＡＸ受信した画像データを画像形成装置で印刷出力することが可能となるが、画像データの流れは原稿読み取り装置から画像形成装置への流れのみであって、画像形成装置から原稿読み取り装置への流れがないため、ＬＡＮ(Local Area Network)などのネットワークを介して画像形成装置がＰＣ(Personal Computer)などの情報処理装置と接続しても、情報処理装置からプリントドライバを介して画像データを直接ＦＡＸ送信するダイレクトＦＡＸを実現することができなかった。
【０００７】
情報処理装置から画像データをＦＡＸ送信する方法としては、当該情報処理装置やネットワークを公衆回線網と接続し、ソフトウェアを利用して情報処理装置から画像データをＦＡＸ送信する方法もあるが、スキャナプリンタの原稿読み取り装置と公衆回線網とが接続する回線に加えて新たな回線が必要であり、また、ソフトウェアでの処理は、画像形成装置におけるイメージ展開機能に比べて性能が低く、印字性能が劣っていた。
【０００８】
そこで本発明では、画像形成装置の高画質なイメージ展開機能を利用したダイレクトＦＡＸを実現することが可能なＦＡＸ送信システム、ＦＡＸ送信方法、画像形成装置、及び原稿読み取り装置を提供することを目的とする。
【課題を解決するための手段】
【０００９】
本発明におけるＦＡＸ送信システムは、情報処理装置と接続する通信手段と、前記通信手段で受信したファイルを画像データに変換する印刷データ生成部とを具備し、前記通信手段で前記ファイルとＦＡＸ送信手段を受信すると、前記ファイルを画像データに変換し、該画像データと前記ＦＡＸ送信情報を原稿読み取り装置に送信する画像形成装置と、通信装置の制御を行うことが可能な制御部を具備し、前記画像データ及び前記ＦＡＸ送信情報を前記画像形成装置から受信すると、前記画像データを前記通信装置に送信し、前記ＦＡＸ送信情報に基づいて制御部で前記通信装置の制御を行う前記原稿読み取り装置と、前記画像データをＦＡＸ送受信するＦＡＸ送受信手段を具備し、前記原稿読み取り装置からの制御に従って前記ＦＡＸ送信手段で前記画像データをＦＡＸ送信する前記通信装置とを備えたことを特徴とする。
【００１０】
また、本発明におけるＦＡＸ送信システムは、情報処理装置と接続する通信手段と、前記通信手段で受信したファイルを画像データに変換する印刷データ生成部とを具備し、前記通信手段で前記ファイルとＦＡＸ送信手段を受信すると、前記ファイルを画像データに変換し、該画像データと前記ＦＡＸ送信情報を通信装置に送信する画像形成装置と、  前記画像データをＦＡＸ送受信するＦＡＸ送受信手段と、前記ＦＡＸ送受信手段を制御する制御部とを具備し、前記画像データ及び前記ＦＡＸ送信情報を前記画像形成装置から受信すると、前記ＦＡＸ送信情報に基づいて前記制御部で前記ＦＡＸ送受信手段の制御を行い、前記画像データをＦＡＸ送信する前記通信装置とを備えたことを特徴とする。
【００１１】
次に、本発明におけるＦＡＸ送信方法は、画像形成装置は、ファイル及びＦＡＸ送信情報を情報処理装置から受信し、印刷データ生成手段で前記ファイルから画像データを生成し、前記画像データ及び前記ＦＡＸ送信情報を原稿読み取り装置に送信し、前記原稿読み取り装置は、前記画像データを通信装置に送信し、前記ＦＡＸ送信情報に基づいて制御手段で前記通信装置を制御し、前記通信装置は、前記原稿読み取り装置の制御に従って前記画像データをＦＡＸ送信する。
【００１２】
また、本発明におけるＦＡＸ送信方法は、画像形成装置は、ファイル及びＦＡＸ送信情報を情報処理装置から受信し、印刷データ生成手段で前記ファイルから画像データを生成し、前記画像データ及び前記ＦＡＸ送信情報を通信装置に送信し、前記通信装置は、前記ＦＡＸ送信情報に基づいて制御手段でＦＡＸ送信のための制御を行い、前記画像データをＦＡＸ送信する。
【００１３】
本発明では、ファイルを画像データに変換する印刷データ生成部と、前記画像データに基づいて画像を印刷出力するプリンタエンジンとを具備する画像形成装置において、情報処理装置と接続する第１の通信手段と、ＦＡＸ送信時の網制御を行う通信装置若しくは通信装置が接続した原稿読み取り装置と接続する第２の通信手段とをさらに具備し、前記第１の通信手段でファイルとＦＡＸ送信情報を受信すると、前記ファイルを前記印刷データ変換部で画像データに変換し、該画像データ及びＦＡＸ送信情報を前記第２の通信手段から送信する。
【００１４】
本発明では、原稿をスキャンして画像データを取得する原稿読み取り装置において、画像形成装置と接続する第１の通信手段と、ＦＡＸ送信時の網制御を行う通信装置と接続する第２の通信手段と、原稿読み取り装置の制御を行う制御部とを具備し、前記第１の通信手段で画像データ及びＦＡＸ送信情報を受信すると、前記画像データを前記第２の通信手段から送信し、前記制御部でＦＡＸ送信のための前記通信装置の制御を行う。
【発明の効果】
【００１５】
本発明では、画像形成装置の高画質なイメージ展開機能を利用したダイレクトＦＡＸをスキャナプリンタの構成で実現することができる。
【発明を実施するための最良の形態】
【００１６】
以下、本発明に係るＦＡＸ送信システム、ＦＡＸ送信方法、画像形成装置、及び原稿読み取り装置を実施するための最良の形態について、添付図面を参照して詳細に説明する。
【実施例１】
【００１７】
図１は、本実施例におけるＦＡＸ送信システムの構成及び画像データの流れを示す概略概念図であり、図２は、本実施例におけるＦＡＸ送信システムの構成を示す概略機能ブロック図である。
【００１８】
図１に示すように、本実施例におけるＦＡＸ送信システムには、原稿から画像を読み取る原稿読み取り装置１０と、画像を印刷出力する画像形成装置２０と、画像データをＦＡＸ送受信する通信装置３０とが設けられ、画像形成装置２０と通信装置３０がＵＳＢケーブルなどの通信ケーブル４０を用いて原稿読み取り装置１０と粗結合している。
【００１９】
また、画像形成装置２０は、ＬＡＮなどのネットワーク５０を介して情報処理装置６０と接続し、通信装置３０は、電話網やインターネット網などの公衆回線７０と接続している。
【００２０】
そして、図２に示すように、原稿読み取り装置１０には、原稿をスキャンしてビットマップ（ＢＭＰ）などの画像データを取得する原稿読み取り部１１と、原稿読み取り部１１で取得した画像データをページ記述言語（ＰＤＬ）やＰＤＦなど、画像形成装置２０で解釈可能な記述言語で記述されたファイルに変換する画像データ変換部１２と、原稿読み取り装置１０全体を制御するため処理を行う制御部１３と、通信インターフェイス（Ｉ／Ｆ）１４などの通信手段とが設けられている。
【００２１】
ここで、原稿読み取り部１１は、原稿をスキャンしてＦＡＸ送信用の画像データを取得する場合、Ａ４サイズの原稿であれば２００dpiでスキャンを行うなど、ＦＡＸ送信に適した条件で原稿をスキャンして、ＦＡＸ送信に適した画像データを取得する。
【００２２】
そして、原稿読み取り装置１０は、原稿をスキャンして取得した画像データを画像形成装置２０に送信する場合は、画像データをファイルに変換して画像形成装置２０に送信し、原稿をスキャンして取得した画像データをＦＡＸ送信する場合は、画像データを通信装置３０に送信し、制御部でＦＡＸ送信に必要な通信装置３０の制御を行う。
【００２３】
また、画像形成装置２０から画像データとＦＡＸ送信先の電話番号などといったＦＡＸ送信に必要な情報（ＦＡＸ送信情報）を受信すると、画像データを通信装置３０に送信すると共に、ＦＡＸ送信情報に基づいて制御部でＦＡＸ送信に必要な通信装置３０の制御を行う。
【００２４】
また、通信装置３０を介して画像データをＦＡＸ受信すると、当該画像データをファイルに変換して画像形成装置２０に送信する。
【００２５】
画像形成装置２０には、図２に示すように、紙などの媒体に画像を印刷出力するプリンタエンジン２１と、ファイルを解釈してプリンタエンジン２１での処理に適したラスタデータなどの画像データに変換する印刷データ生成部２２と、通信Ｉ／Ｆ２３などの通信手段とが設けられている。
【００２６】
そして、画像形成装置２０は、ファイルとＦＡＸ送信情報を受信すると、受信したファイルを解釈してＦＡＸ送信に適した形式の画像データを生成し、当該画像データと共にＦＡＸ送信情報を原稿読み取り装置１０に送信する。
【００２７】
また、ＦＡＸ送信情報などのＦＡＸ送信を指示する情報を受信することなくファイルを受信した場合や、原稿読み取り装置から送信されたファイルを受信した場合は、受信したファイルを解釈して画像データを生成し、当該画像データに基づいて、紙などの媒体に画像を印刷出力する。
【００２８】
通信装置３０には、図２に示すように、ＦＡＸ送信する画像データをＦＡＸ送信に適した信号に、また、ＦＡＸ受信した画像データを原稿読み取り装置１０での処理に適した信号に変換する信号変換部３１と、ＦＡＸ送受信時のダイヤリングや着信など、公衆回線網との接続を制御する網制御部３２とが設けられている。
【００２９】
そして、通信装置３０は、原稿読み取り装置１０から画像データを受信すると、当該画像データをＦＡＸ送信に適した信号に変換し、原稿読み取り装置１０からの制御に従ってダイヤリングなどの網制御を行い、信号変換した画像データをＦＡＸ送信する。
【００３０】
また、公衆回線から画像データをＦＡＸ受信すると、当該画像データの信号を原稿読み取り装置１０での処理に適した信号に変換し、信号変換した画像データを原稿読み取り装置１０に送信する。
【００３１】
上記構成を用いて、本実施例におけるＦＡＸ送信システムは、ファイル及びＦＡＸ送信情報を画像形成装置で受信すると、当該ファイルを画像形成装置で解釈してＦＡＸ送信に適した画像データを生成すると共に、ＦＡＸ送信情報に基づいて画像読み取り装置で通信装置の制御を行い、画像形成装置で生成した画像データをＦＡＸ送信する。
【００３２】
なお、本実施例では、各装置間をケーブルを介して接続しているが、無線接続してもよく、また、画像形成装置と情報処理装置とをネットワークを介することなく直接接続してもよい。
【００３３】
図３は、本実施例におけるＦＡＸ送信システムにおいて、画像形成装置で受信したファイルをＦＡＸ送信する際の処理の流れを示すフローチャートである。
【００３４】
まず、画像形成装置２０においてファイルを受信する（ステップ１００）と、ファイルを解釈して画像データを生成する（ステップ１０１）。
【００３５】
次に、ＦＡＸ送信情報を受信したか否かの判断を行い（ステップ１０２）、ＦＡＸ送信情報を受信していないと判断する（ステップ１０２でＮＯ）と、画像データに基づいてプリンタエンジンで紙などの媒体に画像を印刷出力する（ステップ１０３）。
【００３６】
一方、ステップ１０２でＦＡＸ送信情報を受信したと判断する（ステップ１０２でＹＥＳ）と、画像データをＦＡＸ送信情報と共に原稿読み取り装置１０に送信する（ステップ１０４）。
【００３７】
原稿読取装置１０は、ＦＡＸ送信情報に基づいて通信装置３０を制御するための制御情報を作成し（ステップ１０５）、画像データと共に制御情報を通信装置３０に送信する（ステップ１０６）。
【００３８】
通信装置３０は、画像データの信号をＦＡＸ送信用の画像情報信号に変換し（ステップ１０７）、変換した画像情報信号を制御情報に従ってＦＡＸ送信する（ステップ１０８）。
【００３９】
なお、本実施例では、ステップ１０１で画像データ生成後、ステップ１０２でＦＡＸ送信情報の有無を判断しているが、先にＦＡＸ送信情報の有無を判断し、その後、ＦＡＸ送信若しくは印刷出力に適した画像データを生成するように構成してもよい。
【００４０】
また、本実施例では、原稿読み取り装置から通信装置を介して画像データをＦＡＸ送信しているが、原稿読み取り装置内に信号変換部を設け、制御部でダイヤリングなどの網制御を行って画像データをＦＡＸ送信してもよい。
【００４１】
ところで本実施例では、画像形成装置と原稿読み取り装置とを接続しているが、通信装置全体を制御する制御部を通信装置に設け、画像形成装置と通信装置とを接続して画像データをＦＡＸ送受信してもよく、以下、実施例２を用いて詳細に説明する。
【実施例２】
【００４２】
図４は、本実施例におけるＦＡＸ送信システムの構成及び画像データの流れを示す概略概念図であり、図５は、本実施例におけるＦＡＸ送信システムの構成を示す概略機能ブロック図である。
【００４３】
図４に示すように、本実施例におけるＦＡＸ送信システムには、画像を印刷出力する画像形成装置２０と、画像データをＦＡＸ送受信する通信装置３０とが設けられ、通信ケーブル４０を用いて粗結合している。
【００４４】
また、画像形成装置２０は、ネットワーク５０を介して情報処理装置６０と接続し、通信装置３０は、公衆回線７０と接続している。
【００４５】
ここで、図５に示すように、画像形成装置２０には、画像を印刷出力するプリンタエンジン２１と、ファイル（ＰＤＦやＰＤＬなどの記述言語で記述された画像データ）を解釈し、プリンタエンジン２１での処理に適した画像データに変換する印刷データ生成部２２と、通信Ｉ／Ｆ２３などの通信手段とが設けられている。
【００４６】
そして、画像形成装置２０は、ファイルとＦＡＸ送信情報を受信すると、受信したファイルを解釈してＦＡＸ送信に適した画像データを生成し、当該画像データ、及びＦＡＸ送信情報を通信装置３０に送信する。
【００４７】
また、ＦＡＸ送信を指示する情報を受信することなくファイルを受信すると、当該ファイルを解釈して画像データを生成し、当該画像データに基づいて画像を印刷出力する。
【００４８】
通信装置３０には、図５に示すように、画像データの信号をＦＡＸ送信、又は画像形成装置２０での処理に適した信号に変換する信号変換部３１と、ＦＡＸ送受信時の公衆回線網との接続を制御する網制御部３２と、通信装置３０全体を制御するため処理を行う制御部３３と、通信Ｉ／Ｆ３４などの通信手段とが設けられている。
【００４９】
そして、通信装置３０は、画像形成装置２０から画像データを受信すると、当該画像データをＦＡＸ送信に適した信号に変換すると共に、ダイヤリングなどの網制御を行い、信号変換した画像データをＦＡＸ送信する。
【００５０】
また、公衆回線から画像データをＦＡＸ受信すると、当該画像データの信号を画像形成装置２０での処理に適した信号に変換し、信号変換した画像データを画像形成装置２０に送信する。
【００５１】
上記構成を用いて、本実施例におけるＦＡＸ送信システムは、ファイル及びＦＡＸ送信情報を画像形成装置で受信すると、当該ファイルを画像形成装置で解釈してＦＡＸ送信に適した画像データを生成すると共に、ＦＡＸ送信情報に基づいて通信装置でＦＡＸ送信のための制御を行い、画像形成装置で生成した画像データをＦＡＸ送信する。
【００５２】
図６は、本実施例におけるＦＡＸ送信システムにおいて、画像形成装置で受信したファイルをＦＡＸ送信する際の処理の流れを示すフローチャートである。
【００５３】
まず、画像形成装置２０においてファイルを受信する（ステップ２００）と、ファイルを解釈して画像データを生成する（ステップ２０１）。
【００５４】
次に、ＦＡＸ送信情報を受信したか否かの判断を行い（ステップ２０２）、ＦＡＸ送信情報を受信していないと判断する（ステップ２０２でＮＯ）と、画像データに基づいてプリンタエンジンで紙などの媒体に画像を印刷出力する（ステップ２０３）。
【００５５】
一方、ステップ２０２でＦＡＸ送信情報を受信したと判断する（ステップ２０２でＹＥＳ）と、画像データをＦＡＸ送信情報と共に通信装置３０に送信する（ステップ２０４）。
【００５６】
通信装置３０は、画像データの信号をＦＡＸ送信用の画像情報信号に変換し（ステップ２０５）、変換した画像情報信号をＦＡＸ送信情報に従ってＦＡＸ送信する（ステップ２０６）。
【００５７】
このように本発明では、ＦＡＸ送受信時の制御を行うＰＣ(Personal Computer)などの制御装置を新たに設けることなく、簡易な構成でダイレクトＦＡＸ機能を実施することができる。
【００５８】
また、画像形成装置のデコンポーズ機能を有効に利用することができるため、高画質なイメージ展開が可能であり、高品位な画像で出力できるダイレクトＦＡＸ機能を実施することができる。
【図面の簡単な説明】
【００５９】
【図１】実施例１におけるＦＡＸ送信システムの構成及び画像データの流れを示す概略概念図
【図２】実施例１におけるＦＡＸ送信システムの構成を示す概略機能ブロック図
【図３】実施例１におけるＦＡＸ送信時の処理の流れを示すフローチャート
【図４】実施例２におけるＦＡＸ送信システムの構成及び画像データの流れを示す概略概念図
【図５】実施例２におけるＦＡＸ送信システムの構成を示す概略機能ブロック図
【図６】実施例２におけるＦＡＸ送信時の処理の流れを示すフローチャート
【図７】従来のＦＡＸ送信システムの構成及び画像データの流れの一例を示す概略概念図
【符号の説明】
【００６０】
１０…原稿読み取り装置
１１…原稿読み取り部
１２…画像データ変換部
１３…制御部
１４…通信Ｉ／Ｆ
２０…画像形成装置
２１…プリンタエンジン
２２…印刷データ生成部
２３…通信Ｉ／Ｆ
３０…通信装置
３１…信号変換部
３２…網制御部
３３…制御部
３４…通信Ｉ／Ｆ
４０…通信ケーブル
５０…公衆回線網
６０…情報処理装置
７０…ネットワーク
１００…原稿読み取り装置
１１０…画像形成装置
１２０…通信Ｉ／Ｆ
１３０…情報処理装置
１３１…モデム
１４０…公衆回線網
【図１】
2007019837.tif 000003
【図２】
2007019837.tif 000004
【図３】
2007019837.tif 000005
【図４】
2007019837.tif 000006
【図５】
2007019837.tif 000007
【図６】
2007019837.tif 000008
【図７】
2007019837.tif 000009